(57)【要約】      （修正有）【課題】パーソナルコンピュータを用いることなく簡単な操作で人物の画像データから顔の画像を切出して印刷でき，なお且つその切出し範囲を適宜に調整できる印刷装置を提供する。【解決手段】外部記憶装置に格納された人物の画像データに基づき，前記人物の顔の画像を印刷媒体に割付けて印刷する印刷装置において，前記顔の画像の割付領域のサイズを取得するサイズ取得部と，画像表示部と，前記外部記憶装置から前記人物の画像データを取得し，前記取得した割付領域のサイズと前記画像データに基づき，前記サイズの顔の画像を前記人物の画像から切出す範囲を求め，前記切出し範囲を前記画像表示部に表示させる切出し範囲取得部と,前記切出し範囲の変更を受け付ける切出し範囲変更部とを備える。【選択図】図２
2007196577.tif 000002
【特許請求の範囲】
【請求項１】
外部記憶装置に格納された人物の画像データに基づき，前記人物の顔の画像を印刷媒体に割付けて印刷する印刷装置において，
前記顔の画像の割付領域のサイズを取得するサイズ取得部と，
画像表示部と，
前記外部記憶装置から前記人物の画像データを取得し，前記取得した割付領域のサイズと前記画像データに基づき，前記サイズの顔の画像を前記人物の画像から切出す範囲を求め，前記切出し範囲を前記画像表示部に表示させる切出し範囲取得部と,
前記切出し範囲の変更を受け付ける切出し範囲変更部とを備えることを特徴とする印刷装置。
【請求項２】
請求項１において，
操作入力部を更に有し，
前記サイズ取得部は，前記操作入力部から入力された割付領域のサイズを取得し，
前記切出し範囲取得部は，前記切出し範囲の画像を前記画像表示部に表示させるとともに確認入力を促し，
前記操作入力部に確認入力がされた場合は，当該切出し領域の画像を前記取得したサイズの割付領域に割付けて印刷し，
確認入力がされずに前記切出し範囲変更部に変更入力がされた場合は，当該変更された切出し範囲の画像を前記取得したサイズの割付領域に割付けて印刷することを特徴とする印刷装置。
【請求項３】
請求項２において，
前記切出し範囲を前記画像表示部に表示する際には，前記割付領域に前記切出し範囲の画像を割付け，当該割付領域を拡大して前記画像表示部へ表示することを特徴とする印刷装置。  
【請求項４】
請求項１乃至３のいずれかにおいて，
前記画像データは複数の人物の画像データであって，
選択された人物の画像について前記切出し範囲を求めることを特徴とする印刷装置。
【請求項５】
請求項１乃至４のいずれかにおいて，
前記割付領域に割付けた顔の画像の印刷を行うときに，背景画像を除去することを特徴とする印刷装置。
【請求項６】
外部記憶装置に格納された人物の画像データに基づき，前記人物の顔の画像を印刷媒体に割付けて印刷部で印刷する印刷方法において，
前記外部記憶装置から前記人物の画像データを取得する工程と，
前記顔の画像の割付領域のサイズを取得する工程と，
前記取得した割付領域のサイズと前記画像データに基づき，前記サイズの顔の画像を前記人物の画像から切出す範囲を求める工程と，
前記切出し範囲の確認または変更を受け付ける工程と，
前記確認または変更された切出し範囲の画像を前記取得したサイズの割付領域に割付けて印刷する工程とを有することを特徴とする印刷方法。
【発明の詳細な説明】
【技術分野】
【０００１】
本発明は，印刷装置及び印刷方法に関し，特に，外部記憶装置に格納された人物の画像データに基づき，前記人物の顔の画像を印刷する印刷装置及び印刷方法に関する。
【背景技術】
【０００２】
パスポートや運転免許証等の身分証，あるいは履歴書用の顔写真は，顔のサイズや位置がそれぞれの規格で定められている。かかる顔写真を得るために，予めデジタルカメラなどで撮像された人物の画像データに基づき，顔の部分の画像を切出して拡大・縮小し，所定のサイズで印刷する方法が種々提案されている。
【０００３】
例えば，特許文献１には，パーソナルコンピュータで人物の画像データを読み込み，ユーザが表示画面上で顔の位置を指定し，指定された位置に基づき顔の画像を切出して印刷装置で印刷する方法が記載されている。また，特許文献２には，パーソナルコンピュータで人物の画像データから顔の輪郭情報を抽出し，その情報に基づき顔の画像を切出して印刷装置で印刷する方法が記載されている。
【０００４】
また，パーソナルコンピュータを用いない方法としては，メモリカードなどの外部記憶装置を装着でき，その外部記憶装置から読み出した人物の画像データに基づき，複数の異なるサイズの割付枠に顔の画像を割付けて印刷する印刷装置が特許文献３に記載されている。
【特許文献１】特開平１１−３４１２７２号公報
【特許文献２】特開２０００−２７０１９８号公報
【特許文献３】特開２００２−２７３９６９号公報
【発明の開示】
【発明が解決しようとする課題】
【０００５】
しかしながら，特許文献１及び２に記載された方法は，パーソナルコンピュータを使用するので操作がその分煩雑となる。よって，パーソナルコンピュータの使用に不慣れなユーザにとっては使用が困難となる。
【０００６】
その点，特許文献３に記載された印刷装置では，装着されたメモリカードから画像データを読み出して顔の画像を印刷できるので，パーソナルコンピュータの使用に不慣れなユーザにとっても操作し易い。しかし，印刷用紙上の複数の割付枠において顔の画像の配置や拡大・縮小率が常に適切とは限らず，その場合ユーザは複数の印刷結果の中から所望の画像に近いものを探さねばならず，利便性が悪い。
【０００７】
そこで，本発明の目的は，パーソナルコンピュータを用いることなく簡単な操作で人物の画像データから顔の画像を切出して印刷でき，なお且つその切出し範囲を適宜に調整できる印刷装置等を提供することにある。
【課題を解決するための手段】
【０００８】
上記の目的を達成するために，本発明の第１の側面によれば，外部記憶装置に格納された人物の画像データに基づき，前記人物の顔の画像を印刷する印刷装置において，前記顔の画像の割付領域のサイズを取得する割付領域サイズ取得部と，画像表示部と，前記外部記憶装置から前記人物の画像データを取得し，前記取得した割付領域のサイズと前記画像データに基づき，前記サイズの顔の画像を前記人物の画像から切出す範囲を求め，前記切出し範囲を前記画像表示部に表示させる切出し範囲取得部と,前記切出し範囲の変更を受け付ける切出し範囲変更部とを備えることを特徴とする。
【０００９】
上記第１の側面における印刷装置によれば，パーソナルコンピュータを用いずに，外部記憶装置から取得した画像データに基づき顔の画像を自動的に切出して印刷する。そして，印刷に際しては，その切出し範囲を適宜変更することができる。よって，顔の拡大・縮小率や配置が好適な顔の画像の印刷を簡便な操作で行うことができる。
【００１０】
上記第１の側面における好ましい実施例によれば，前記印刷装置は，前記切出し範囲を前記画像表示部に表示する際には，前記割付領域に前記切出し範囲の画像を割付け，当該割付領域を拡大して前記画像表示部へ表示することを特徴とする。よって，切り出し範囲の確認や，切出し範囲を変更する際の操作を拡大表示された画像に対して行うことができるので，操作性が向上する。
【００１１】
上記第１の側面における好ましい実施例によれば，前記画像データは複数の人物の画像データであって，前記印刷装置は，前記切出し範囲を人物毎に求めることを特徴とする。よって，集合写真やスナップ写真などの複数人物を撮像した画像からでも，証明写真等に用いるための顔写真を得ることができるので，利便性が向上する。  
【発明を実施するための最良の形態】
【００１２】
以下，図面にしたがって本発明の実施の形態について説明する。但し，本発明の技術的範囲はこれらの実施の形態に限定されず，特許請求の範囲に記載された事項とその均等物まで及ぶものである。  
【００１３】
図１は，本実施の形態における印刷装置の構成図である。印刷装置１００は，制御部１０，操作入力部５０，画像表示部６０，印刷部７０，及び装着部４２により構成され，各部は内部バスＢＵＳで接続される。また，装着部４２には外部記憶装置４４が装着される。
【００１４】
本実施の形態における印刷装置１００では，制御部１０が外部記憶装置４４に格納された人物の画像データから顔の画像を切り出し，印刷部７０を駆動してその切出した画像を印刷用紙や写真用紙などの媒体上に割付けて印刷する。そして，画像を割付ける割付枠のサイズは操作入力部５０からの入力により指定され，指定されるサイズに応じた切り出し範囲を画像表示部６０に表示し，ユーザに確認・変更を促す。
【００１５】
制御部１０はＣＰＵ１２，ＲＯＭ２０，ＲＡＭ３０を有している。ＣＰＵ１２はＲＯＭ２０に格納された制御プログラムに従って，印刷装置１００を構成する各部の動作を制御する。ＲＯＭ２０には，その他に顔検知モジュール２１，レイアウトモジュール２２，印刷サイズデータ２３が格納されており，ＣＰＵ１２はこれらに従って，予め撮像された人物の画像データから顔の画像の切出しを行う。なお，人物の画像データは，外部記憶装置４４から装着部４２を介して取得する。ＲＡＭ３０は作業用のメモリであり，ＣＰＵ１２が処理中の画像データや，その画像データに基づき生成される顔の画像の印刷データを一時的に格納する。
【００１６】
外部記憶装置４４は，例えばデジタルカメラに使用されるコンパクトフラッシュカード（登録商標）等の記憶媒体であって，人物を撮像した画像データを格納している。また装着部４２は装着された外部記憶装置４４に格納されたデータを読み出すリーダであって，読み出した画像データをＣＰＵ１２に伝送する。
【００１７】
なお，外部記憶装置４４は，パーソナルコンピュータなどの記憶装置，あるいはスキャナなどの記憶装置として構成することも可能である。そのような場合は，装着部４２に代わり，不図示の通信インターフェースを介して，ネットワークや直接ケーブルで接続されたパーソナルコンピュータなどの記憶装置から人物を撮像した画像データを取得する。
【００１８】
操作入力部５０は，印刷装置１００の表面に設けられ，印刷装置１００の各種機能を操作するためのプッシュボタンにより構成される。このプッシュボタンは，顔の切り出しを行う画像の選択，画像の割付枠のサイズ指定，及び切り出し範囲の変更の各種入力を受け付ける。プッシュボタンが押圧されると，操作入力部５０は割付枠サイズの指定などの入力信号を制御部１０に対して伝送する。
【００１９】
画像表示部６０は，印刷装置１００の表面に設けられる表示画面であって，例えば高精細の液晶パネルである。外部記憶装置４４に格納されている画像データに基づく画像，制御部１０で求められる顔の画像の切り出し範囲，または割付枠に割付けられた印刷画像を表示する。
【００２０】
上記の操作入力部５０と画像表示部６０とでユーザインターフェースを構成する。すなわち，ユーザは，外部記憶装置４４に格納されている画像データの画像を画像表示部６０で確認することにより，目的の画像を操作入力部５０から選択入力することができる。また，制御部１０で求められた顔の画像を切出す範囲の画像を画像表示部６０上で見ることができ，適宜に確認あるいは切り出し範囲の変更を操作入力部５０から入力することができる。なお，画像表示部６０をタッチパネルで構成し，操作入力部５０と兼用してもよい。
【００２１】
印刷部７０は，図示しない給紙機構と印刷エンジンとで構成され，制御部１０で生成された印刷データに基づき，印刷用紙などの媒体に顔の画像を印刷する。給紙機構はモータにより駆動される搬送ローラを有する公知の機構により印刷エンジンへ印刷用紙を搬送し，印刷された用紙を印刷装置１００の外部へ排出する。また印刷エンジンは，印刷用紙に対して画像を印刷する印刷ヘッドと，ヘッドを駆動する機構により構成される。印刷方式は一例としてインクジェット方式であるが，これに限定されなくてもよい。
【００２２】
図２は，制御部１０の動作手順を説明するフローチャート図である。制御部１０は，ＲＯＭ２０に格納された顔検知モジュール２１及びレイアウトモジュール２２に従い以下の手順で画像処理を行う。
【００２３】
まず，ユーザの選択入力に応答して，外部記憶装置４４に格納された画像データから，顔の画像を切出す画像データを取得する（Ｓ１０）。
【００２４】
次に，ユーザの選択入力に応答して，ＲＯＭ２０に格納された印刷サイズデータ２３から印刷レイアウトを取得する（Ｓ２０）。印刷レイアウトは，印刷ページのレイアウトを定めるテンプレートであって，１ページ内に１または複数の印刷画像の割付枠を配置したものである。
【００２５】
例えば，図３（Ａ）には４種類の異なるサイズの割付枠ＳＺ１〜４がＡ４用紙のサイズ上に配置された「４面割付」レイアウトＰＬの例が示されている。このような印刷レイアウトＰＬを用いると，Ａ４用紙上に各割付枠のサイズで顔の画像を割付けて印刷することができる。
【００２６】
各割付枠は，例えば，画面ＳＺ１はパスポート用，画面ＳＺ２は履歴書用というように異なる用途に対応しており，用途に応じた縦横のサイズ，縦横比で設けられている。また，顔写真の用途によって顔の配置や表示される顔の大きさなどが規格化されており，印刷レイアウトＰＬには，各割付枠の用途に応じたこれらの情報が付加されている。
【００２７】
このような印刷レイアウトは種々設けることができ，印刷サイズデータ２３としてＲＯＭ２０に格納される。よって，ユーザは用途に応じた印刷レイアウトを指定することにより，それに含まれる割付枠のサイズ，つまり顔の画像が印刷用紙などに印刷されるサイズを指定することができる。
【００２８】
図２に戻ると，工程Ｓ３０でユーザの印刷起動指示を受付け，この指示に応答して，選択された画像から顔を検知する（Ｓ４０）。顔の検知は，例えば肌色画素の分布に基づき顔を検知する方法等が可能である。
【００２９】
そして，選択されたレイアウト内に配置された割付枠数を取得し（Ｓ５０），すべての枠について以下の処理を行う。例えば，図３（Ａ）に示した「４面割付」印刷レイアウトＰＬの場合は，４つの割付枠について以下の処理を行う。
【００３０】
まず，割付枠ごとの縦横サイズ，縦横比情報，及び顔の配置や大きさなどの割付情報を取得する（Ｓ６２）。すると，その割付枠の用途に応じた規格に適合するような顔の割付位置と，顔の大きさが特定できる。
【００３１】
次に人物の画像データの顔の中心座標と顔の大きさを求め，画像を切出す範囲を求める（Ｓ６４）。顔の中心座標と大きさは，例えば肌色の画素の分布形状から求めることができる。そして，工程Ｓ６２で特定した顔の割付位置と顔の大きさに適合するような，拡大・縮小率と画像を切出す位置を求めることにより，切出し範囲を求めることができる。
【００３２】
例えば，図３（Ａ）で示した割付枠ＳＺ１の場合は，用途がパスポート写真用であるので，割付枠の縦横サイズは縦４．５ｃｍ×横３．５ｃｍであり，人物の顔の配置は上部の余白が９ｍｍで，かつ縦方向に２．７ｃｍ±０．２ｃｍの範囲内に収まるよう規格化されている。そのような規格に適合する切出し範囲を求めるには，まず元の画像の顔の大きさから，顔が規格の範囲内に収まるような拡大・縮小率を求め，その拡大・縮小率から元の画像上での上部の余白の長さを算出する。次に，顔の中心座標と顔の大きさから顔の輪郭を求め，頭頂部の座標に算出された余白の長さを加えて画像の切出し位置を求める。そして，求めた切出し位置において縦横が４．５：３．５である矩形の範囲を切り出し範囲として求める。
【００３３】
このようにして求めた切り出し範囲をＲＡＭ３０に一時的に保存し（Ｓ６６），人物の画像と切り出し範囲を重ねて画像表示部６０に表示する（Ｓ６８）。そして，ユーザにより切り出し範囲についての確認入力がされたら次の枠の処理に進み（Ｓ７０のＮＯ），切り出し範囲の変更入力がされたら（Ｓ７０のＹＥＳ），変更後の切り出し範囲をＲＡＭ３０に保存し（Ｓ７２），次の枠の処理に進む。なお，図３（Ｂ）には，人物の画像Ｐ１に対し印刷レイアウトＰＬの割付枠ＳＺ１〜４に対応する切出し範囲を表示してある。図示した割付枠ＳＺ１〜４の内側の領域が切出し範囲であり，その画像が切出される画像に相当する。
【００３４】
上記のような処理をレイアウト内の全ての枠について終了したら（Ｓ６０のＹＥＳ），各割付枠ごとに保存した切り出し範囲で顔の画像を切出す。そして切出した画像を印刷レイアウトの割付枠に割付け，刷画像データとして例えばビットマップ形式でＲＡＭ３０に展開する（Ｓ８０）。すなわち，図３（Ａ）の印刷レイアウトＰＬの各割付枠ＳＺ１〜４に，図３（Ｂ）で示したそれぞれの切出し範囲の画像が拡大・縮小されて割付けられ，全体として１ページ分の印刷画像を構成する。
【００３５】
ここで，印刷画像データの展開に際しては，背景画像の除去を行うことも可能である。例えば，顔検知の際に顔以外の背景の色情報に基づいて背景画像を検知し，その背景画像を予め用意した無地の背景画像と置き換えることなどが可能である。
【００３６】
そして，展開された印刷画像データに基づく印刷を印刷部７０に要求し（Ｓ９０），印刷が実行される。
【００３７】
上記の手順によれば，ユーザは目的とするサイズの割付枠を有する印刷レイアウトを選択することにより，１つの画像データから１または複数のサイズで顔の画像を割付けた印刷物を得ることができる。さらに，必要に応じて顔の画像の切出し範囲を変更することができる。
【００３８】
なお，ユーザによる印刷レイアウトの選択（Ｓ２０）を省略し，所定の印刷レイアウトを用いて自動的に顔の画像を割付ける手順とすることも可能である。また，画像の切出し範囲を求めた後の，切出し範囲の確認・変更工程（Ｓ６０〜Ｓ７２）を省略し，印刷レイアウトの割付枠に割付けた顔の画像を自動的に印刷する手順とすることも可能である。そうすることで，印刷ジョブ完了までの時間を短縮することができる。
【００３９】
次に図４及び図５で本実施の形態における印刷装置のユーザインターフェースについて，印刷レイアウトの選択や，切出し範囲の確認・変更を行う場合を例に説明する。
【００４０】
図４は，操作入力部５０の概観を例示する図である。操作入力部５０は，操作パネルＣＰ上に配置される各種プッシュボタンによって構成される。例えば，各種のメニュー選択を行うためにメニュー上で上下左右の移動を指示する上ボタンＵＢ，下ボタンＤＢ，左ボタンＬＢ，右ボタンＲＢ，及び確認ボタンＥＢ，ならびに印刷起動を指示する印刷ボタンＰＢなどである。ユーザは，画像表示部６０に表示される選択メニューを見ながらこれらのプッシュボタンを押圧することにより，種々の確認・選択，指示などの入力を制御部１０に対し行うことができる。
【００４１】
図５は，画像表示部６０の画面表示とその遷移を説明する図である。まず，図５（Ａ）は外部記憶装置４４に格納された複数の画像データの中から印刷対象の画像データを選択する場合の画面表示例である。図２の工程Ｓ１０に対応する画面である。ユーザが図４で示した操作パネルＣＰ上の左ボタンＬＢと右ボタンＲＢを交互に押圧することにより，外部記憶装置４４に格納されている画像データの画像を順次切り替えて表示する。そして，ユーザは所望の画像が表示された時点で確認ボタンＥＢを押圧して選択入力を行うことができる。
【００４２】
画像が確定されると図５（Ｂ）の画面表示へ進み，各種の印刷設定を行う。ここでは，用紙サイズなどとともに印刷レイアウトの選択を行い，図２の工程Ｓ２０に対応する。ユーザは図４で示した操作パネルＣＰ上の上ボタンＵＢと下ボタンＤＢを交互に押圧して対象のメニューを移動し，左ボタンＬＢと右ボタンＲＢを交互に押圧することで選択肢を順次切り替えるなどして，所望の設定が表示された時点で確認ボタンＥＢを押圧して選択入力を行うことができる。図５（Ｂ）では，証明写真用の「４面割付」印刷レイアウトが選択された状態を示している。なお，用紙サイズと印刷レイアウトの組合せにより，実際に印刷される顔の画像のサイズは多様なバリエーションが可能である。
【００４３】
印刷設定を確定した後，ユーザは印刷ボタンＰＢ（図４）を押圧して印刷起動を指示する（図２の工程Ｓ３０）。すると，画面表示は図５（Ｃ）に進み，画像切出し範囲を求める処理が行われている状態を示す画面を表示する。この画面は，図２の工程Ｓ４０〜Ｓ６６に対応しており，選択した印刷レイアウトの割付枠ごとに処理が実行されている時に表示される。
【００４４】
次に，４つの割付枠のうち第１の割付枠について切出し範囲が求められると，画面表示は図５（Ｄ）に進み，求められた切出し範囲を元の人物の画像に重ねて表示する。図２の工程Ｓ６８に対応する。なお，ここでは，切出し範囲の画像を対応する割付枠に割付けて図５（Ａ）の元の人物の画像より拡大して表示することにより，切出し範囲の確認や変更をする際の操作性を向上させることができる。
【００４５】
ユーザは，この画面表示を見て切出し範囲を確認する場合は（図２の工程Ｓ７０のＮＯ）確認ボタンＥＢ（図４）を押圧することにより，次の割付枠へ進む。あるいは，切出し範囲を変更する場合は（図２の工程Ｓ７０のＹＥＳ），図４の上ボタンＵＢ，下ボタンＤＢ，左ボタンＬＢ，または右ボタンＲＢ等を適宜押圧しながら，切出し範囲の位置の移動や，切出し範囲の画像の拡大・縮小率の増減を行う。そして，変更を終えたら確認ボタンＥＢを押圧して，次の割付枠へ進む。
【００４６】
そして，すべての割付枠について切出し範囲の確認・変更を終了すると，画面表示は図５（Ｅ）に進む。この画面は，図２の工程Ｓ８０〜Ｓ９０に対応し，印刷レイアウトに基づいて印刷画像データがＲＡＭ３０に展開され，画像が印刷される時の処理状態を示す画面表示である。
【００４７】
なお，上記の画面遷移にともない操作するボタンの種類や操作手順は一例であって，他の態様も可能である。
【００４８】
次に，複数の人物が撮像された画像データから，顔の画像を切出す実施例について説明する。
【００４９】
図６は，複数の人物が撮像された画像データから特定の人物の顔の画像を切出す場合の，制御部１０の動作手順を説明するフローチャート図である。図２で示したフローチャート図の工程Ｓ４０とＳ５０の間に処理が追加されたものである。
【００５０】
まず，ユーザの選択入力に応答して，外部記憶装置４４に格納された画像データから，顔の画像を切出す画像データを選択する工程Ｓ１０，印刷レイアウト選択工程Ｓ２０，印刷起動工程Ｓ３０，及び選択画像から顔を検知する工程Ｓ４０は図２の手順と同じである。
【００５１】
次に，選択された画像から検知した顔が複数であるかを判断する（Ｓ１４４）。複数の顔が検知されていれば（Ｓ１４４のＹＥＳ），複数人物の画像を切出して画像表示部６０に表示する（Ｓ１４６）。そして，ユーザが顔の画像を切出す人物を選択し，選択入力に応答して選択された人物の画像を取得する（Ｓ１４８）。人物の画像が選択された後の工程Ｓ５０〜Ｓ９０は図２と同じであるので，説明を省略する。
【００５２】
図７は，複数人物の画像から顔の画像を切出す対象となる人物の画像を選択する場合の，画像表示部６０の画面表示例を説明する図である。選択した画像データから複数の顔が検知された場合は，図７（Ａ）に示すように複数人物の画像を表示する。この画面表示は図６の工程１４６に対応する。
【００５３】
この画面表示では検知された人物の顔を枠で囲んで表示しており，そのうちの１つの枠が選択対象を表す枠として実線や，特定の色などで表示される。そして，ユーザが図４の操作パネルＣＰ上の選択ボタンＬＢ，ＲＢを押圧すると選択対象を表す枠の表示が，複数の枠の間で交互に切り替えて表示される。所望の人物の枠が選択対象として表示された時点で，ユーザが確認ボタンＥＢを押圧すると，その人物の画像が選択され，図７（Ｂ）の画面表示へ進む。
【００５４】
図７（Ｂ）の画面表示は選択された人物の画像のみを表示しており，図６の工程Ｓ１４８に対応する。このようにして特定の人物の画像が選択された後の工程Ｓ５０〜Ｓ９０に対応する画面遷移は，図５（Ｂ）〜（Ｅ）と同じである。
【００５５】
このように，複数人物が撮像された集合写真やスナップ写真の画像データからでも，証明写真等に用いるための顔写真を得ることができ，印刷装置としての利便性が向上する。
【００５６】
以上説明したとおり，本実施の形態における印刷装置によれば，パーソナルコンピュータを用いずに，外部記憶装置から取得した画像データに基づき顔の画像を自動的に切出して印刷することができ，印刷に際してはその切出し範囲を適宜変更することができる。よって，顔の拡大・縮小率や配置が好適な画像の印刷を簡便な操作で行うことができる。
【図面の簡単な説明】
【００５７】
【図１】本実施の形態における印刷装置の構成図である。
【図２】制御部１０の動作手順を説明するフローチャート図である。
【図３】印刷レイアウトと切出し範囲を模式的に説明する図である。
【図４】操作入力部５０の概観を例示する図である。
【図５】画像表示部６０の画面表示とその遷移を説明する図である
【図６】複数の人物が撮像された画像データから特定の人物の顔の画像を切出す場合の，制御部１０の動作手順を説明するフローチャート図である。
【図７】複数人物の画像から顔の画像を切出す対象となる人物の画像を選択する場合の，画像表示部６０の画面表示例を説明する図である。
【符号の説明】
【００５８】
制御部：  １０   印刷レイアウト：ＰＬ
割付枠：  ＳＺ１ 操作パネル：    ＣＰ
【図１】
2007196577.tif 000003
【図２】
2007196577.tif 000004
【図３】
2007196577.tif 000005
【図４】
2007196577.tif 000006
【図５】
2007196577.tif 000007
【図６】
2007196577.tif 000008
【図７】
2007196577.tif 000009